(57)【要約】【課題】  簡素な構造で組立てに容易に用いることができ、バリケードにおけるクランプ挟持の過圧による破損を効果的に防止することができる樹脂製バリケードパイプの端部補強部材を提供すること。【解決手段】  バリケード支持脚Ａに配設されるクランプＣによって端部21が挟持される円筒状の樹脂製パイプ２の端部21を補強するための部材であって、筒状の本体部１の外周面をテーパ形状に成形する一方、外周面の表面には軸方向に亙る突条11を形成し、前記本体部１の小径端部12を前記樹脂製パイプ２の端部21における開口部21ａに挿入して突条11を当該パイプ２の内周面22に緊嵌させることにより二重構造を構成可能にするという技術的手段を採用したことによって、樹脂製バリケードパイプの端部補強部材を完成させた。【選択図】  図１
2010019411.tif 000002
【特許請求の範囲】
【請求項１】
バリケード支持脚Ａに配設されるクランプＣによって端部21が挟持される円筒状の樹脂製パイプ２の端部21を補強するための部材であって、
筒状の本体部１の外周面がテーパ形状に成形されている一方、外周面の表面には軸方向に亙る突条11が形成されており、
前記本体部１の小径端部12を前記樹脂製パイプ２の端部21における開口部21ａに挿入して突条11を当該パイプ２の内周面22に緊嵌させることにより二重構造を構成可能にしたことを特徴とする樹脂製バリケードパイプの端部補強部材。
【請求項２】
本体部１の小径端部12の外周縁部における突条11の各頂点が、樹脂製パイプ２の内周面22に当接することを特徴とする請求項１記載の樹脂製バリケードパイプの端部補強部材。
【請求項３】
バリケード支持脚Ａに配設されるクランプＣによって端部21が挟持される円筒状の樹脂製パイプ２の端部21を補強するための部材であって、
筒状の本体部１の内周面がテーパ形状に成形されている一方、内周面の表面には軸方向に亙る突条11が形成されており、
前記本体部１の大径開口端部15を前記樹脂製パイプ２の端部21における外周面23に挿入して突条11を当該パイプ２の外周面23に緊嵌させることにより二重構造を構成可能にしたことを特徴とする樹脂製バリケードパイプの端部補強部材。
【請求項４】
本体部１の大径開口端部15の内周縁部における突条11の各頂点が、樹脂製パイプ２の外周面23に当接することを特徴とする請求項３記載の樹脂製バリケードパイプの端部補強部材。
【請求項５】
本体部１の突条11の頂点の高さが逓減していることを特徴とする請求項１〜４の何れか一つに記載の樹脂製バリケードパイプの端部補強部材。
【請求項６】
バリケード支持脚Ａに配設されるクランプＣによって端部21が挟持される円筒状の樹脂製パイプ２の端部21を補強するための部材であって、
筒状の本体部１の外周面または内周面の表面には軸方向に亙り高さの逓増する突条11が形成されており、
前記本体部１の突条11の低い方の端部を前記樹脂製パイプ２の端部21における開口部21ａまたは外周面23に挿入して突条11を当該パイプ２の内周面22または外周面23に緊嵌させることにより二重構造を構成可能にしたことを特徴とする樹脂製バリケードパイプの端部補強部材。
【請求項７】
バリケード支持脚Ａに配設されるクランプＣによって端部21が挟持される円筒状の樹脂製パイプ２の端部21を補強するための部材であって、
筒状の本体部１の外周表面には螺旋状の突条11が形成されており、
前記本体部１の端部を前記樹脂製パイプ２の端部21における開口部21ａに挿入して前記螺旋状の突条11を当該パイプ２の内周面22に緊嵌させることにより二重構造を構成可能にしたことを特徴とする樹脂製バリケードパイプの端部補強部材。
【請求項８】
本体部１の突条11が複数形成されていることを特徴とする請求項１〜７の何れか一つに記載の樹脂製バリケードパイプの端部補強部材。
【請求項９】
本体部１の突条11の断面が三角形状または半円形状であることを特徴とする請求項１〜８の何れか一つに記載の樹脂製バリケードパイプの端部補強部材。
【請求項１０】
本体部１の内部にリブ16が形成されていることを特徴とする請求項１〜９の何れか一つに記載の樹脂製バリケードパイプの端部補強部材。
【請求項１１】
本体部１の内部に形成されたリブ16が竹節状であることを特徴とする請求項１０記載の樹脂製バリケードパイプの端部補強部材。
【請求項１２】
バリケード支持脚Ａに配設されるクランプＣによって端部21が挟持される円筒状の樹脂製パイプ２の端部21を補強するための部材であって、
本体部１の胴部18は十字断面形状に成形されている一方、この本体部１の所定間隔に複数の円板リブ19が配設され、かつ、前記胴部18の突端部18ａが円板リブ19の周縁の外郭外側に突出しており、
前記本体部１の胴部18を前記樹脂製パイプ２の端部21における開口部21ａに挿入して突端部18ａを圧入して当該パイプ２の内周面22に緊嵌させることにより二重構造を構成可能にしたことを特徴とする樹脂製バリケードパイプの端部補強部材。
【請求項１３】
本体部１の端部に被覆蓋板17が設けられていることを特徴とする請求項１〜１２の何れか一つに記載の樹脂製バリケードパイプの端部補強部材。
【請求項１４】
本体部１の被覆蓋板17が径外にフランジ状に突出していることを特徴とする請求項１３記載の樹脂製バリケードパイプの端部補強部材。
【発明の詳細な説明】
【技術分野】
【０００１】
本発明は、工事現場等に設置するバリケードの改良、更に詳しくは、簡素な構造で組立てに容易に用いることができて、バリケードにおけるクランプ挟持の過圧による破損も効果的に防止することができる樹脂製バリケードパイプの端部補強部材に関するものである。
【背景技術】
【０００２】
周知のとおり、工事現場等に設置されているバリケードは、一対の支持脚に単管パイプを架設して構成されており（例えば、特許文献１参照）、この単管パイプは主に金属製であったため、重量で運搬等の取り扱いがし難く、また、誤ってバリケードに自動車が衝突し、自動車に単管パイプが突き刺さって搭乗者が負傷したり、あるいは、衝突の衝撃で単管パイプが外れて飛来して歩行者等に直撃して負傷する事故も発生しており、その危険性も指摘されている。
【０００３】
そこで、この単管パイプを軽量化するために、パイプの使用材料をポリプロピレンやＦＲＰなどの樹脂材料で作製したものがある。このような樹脂製のパイプは、取扱性および安全性に優れ、また、成形性も良い。
【０００４】
しかしながら、かかる樹脂製のパイプは金属製のものと比較すると強度（剛性や靱性など）が劣るため、支持脚に止着するためにクランプで挟持する際に、クランプの締付力が強過ぎて、クランプの止着部分となるパイプの端部が過圧により割れてしまうおそれがあった。
【特許文献１】特開平１０−２５９６０４号公報（第２−３頁、第１−８図）
【発明の開示】
【発明が解決しようとする課題】
【０００５】
本発明は、従来のバリケード用のパイプに上記のような問題があったことに鑑みて為されたものであり、その目的とするところは、簡素な構造で組立てに容易に用いることができて、バリケードにおけるクランプ挟持の過圧による破損も効果的に防止することができる樹脂製バリケードパイプの端部補強部材を提供することにある。
【課題を解決するための手段】
【０００６】
本発明者が上記課題を解決するために採用した手段を添付図面を参照して説明すれば次のとおりである。
【０００７】
即ち、本発明は、バリケード支持脚Ａに配設されるクランプＣによって端部21が挟持される円筒状の樹脂製パイプ２の端部21を補強するための部材であって、
筒状の本体部１の外周面をテーパ形状に成形する一方、外周面の表面には軸方向に亙る突条11を形成し、前記本体部１の小径端部12を前記樹脂製パイプ２の端部21における開口部21ａに挿入して突条11を当該パイプ２の内周面22に緊嵌させることにより二重構造を構成可能にするという技術的手段を採用したことによって、樹脂製バリケードパイプの端部補強部材を完成させた。
【０００８】
また、本発明は、上記課題を解決するために、必要に応じて上記手段に加え、本体部１の小径端部12の外周縁部における突条11の各頂点を、樹脂製パイプ２の内周面22に当接させるという技術的手段を採用した。
【０００９】
また、本発明は、筒状の本体部１の内周面をテーパ形状に成形する一方、内周面の表面には軸方向に亙る突条11を形成し、前記本体部１の大径開口端部15を前記樹脂製パイプ２の端部21における外周面23に挿入して突条11を当該パイプ２の外周面23に緊嵌させることにより二重構造を構成可能にするという技術的手段を採用することもできる。
【００１０】
また、本発明は、上記課題を解決するために、必要に応じて上記手段に加え、本体部１の大径開口端部15の内周縁部における突条11の各頂点を、樹脂製パイプ２の外周面23に当接することを特徴とする請求項３記載の樹脂製バリケードパイプの端部補強部材。
させるという技術的手段を採用した。
【００１１】
更にまた、本発明は、上記課題を解決するために、必要に応じて上記手段に加え、本体部１の突条11の頂点の高さを逓減させるという技術的手段を採用した。
【００１２】
また、本発明は、筒状の本体部１の外周面または内周面の表面には軸方向に亙り高さの逓増する突条11を形成し、前記本体部１の突条11の低い方の端部を前記樹脂製パイプ２の端部21における開口部21ａまたは外周面23に挿入して突条11を当該パイプ２の内周面22または外周面23に緊嵌させることにより二重構造を構成可能にするという技術的手段を採用することもできる。
【００１３】
また、本発明は、筒状の本体部１の外周表面には螺旋状の突条11を形成し、前記本体部１の端部を前記樹脂製パイプ２の端部21における開口部21ａに挿入して前記螺旋状の突条11を当該パイプ２の内周面22に緊嵌させることにより二重構造を構成可能にするという技術的手段を採用することもできる。
【００１４】
また、本発明は、上記課題を解決するために、必要に応じて上記手段に加え、本体部１の突条11を複数形成するという技術的手段を採用した。
【００１５】
更にまた、本発明は、上記課題を解決するために、必要に応じて上記手段に加え、本体部１の突条11の断面を三角形状または半円形状にするという技術的手段を採用した。
【００１６】
更にまた、本発明は、上記課題を解決するために、必要に応じて上記手段に加え、本体部１の内部にリブ16を形成するという技術的手段を採用した。
【００１７】
また、本発明は、上記課題を解決するために、必要に応じて上記手段に加え、本体部１の内部に形成されたリブ16を竹節状にするという技術的手段を採用した。
【００１８】
また、本発明は、バリケード支持脚Ａに配設されるクランプＣによって端部21が挟持される円筒状の樹脂製パイプ２の端部21を補強するための部材であって、
本体部１の胴部18は十字断面形状に成形されている一方、この本体部１の所定間隔に複数の円板リブ19が配設され、かつ、前記胴部18の突端部18ａが円板リブ19の周縁の外郭外側に突出しており、
前記本体部１の胴部18を前記樹脂製パイプ２の端部21における開口部21ａに挿入して突端部18ａを圧入して当該パイプ２の内周面22に緊嵌させることにより二重構造を構成可能にするという技術的手段を採用することもできる。
【００１９】
また、本発明は、上記課題を解決するために、必要に応じて上記手段に加え、本体部１の端部に被覆蓋板17を設けるという技術的手段を採用した。
【００２０】
また、本発明は、上記課題を解決するために、必要に応じて上記手段に加え、本体部１の被覆蓋板17を径外にフランジ状に突出させるという技術的手段を採用した。
【発明の効果】
【００２１】
本発明においては、バリケード支持脚に配設されるクランプによって端部が挟持される円筒状の樹脂製パイプの端部を補強するための部材を構成するにあたり、筒状の本体部の外周面をテーパ形状に成形する一方、外周面の表面には軸方向に亙る突条を形成して、前記本体部の小径端部を前記樹脂製パイプの端部における開口部に挿入して突条を当該パイプの内周面に緊嵌させることによって、強固な二重構造を構成することができる。
【００２２】
したがって、本発明の補強部材を使用することにより、簡素な構造で組立てに容易に用いることができ、バリケードにおけるクランプ挟持の過圧による破損を効果的に防止することができることから、実用的利用価値は頗る高いものがある。
【発明を実施するための最良の形態】
【００２３】
本発明を実施するための最良の形態を具体的に図示した図面に基づいて更に詳細に説明すると、次のとおりである。
【００２４】
『第１実施形態』
本発明の第１実施形態を図１から図５に基づいて説明する。図中、符号１で指示するものは筒状の本体部であり、本実施形態では、ＦＲＰ、ポリエステル、ポリプロピレン、ポリカーボネート、塩化ビニル、ＡＳＡ（acrylate-styrene-acrylonitrile：ＡＢＳに耐候剤を添加したもの）などの合成樹脂を使用材料とし、射出成形により作製される。
【００２５】
また、符号２で指示するものは樹脂製パイプであり、この樹脂製パイプ２は、比較的硬質な合成樹脂（本実施形態では、ＦＲＰ、更にガラス繊維を混合したもの、ポリプロピレンなど）を使用して、押出成形機によって円筒断面を有する直管状に成形されている。
【００２６】
しかして、本発明における補強部材は、バリケード支持脚Ａに配設されるクランプＣによって端部21が挟持される円筒状の樹脂製パイプ２の端部21を補強するための部材であって、構成について以下に説明する。
【００２７】
まず、筒状の本体部１の外周面をテーパ形状（截頭円錐状）に成形する一方、外周面の表面には軸方向に亙る突条11を形成する。この際、本体部１の突条11を複数形成することができ、本実施形態では、等間隔に４本形成する。
【００２８】
次いで、前記本体部１の小径端部12を前記樹脂製パイプ２の端部21における開口部21ａに挿入する。具体的には、本体部１をハンマー等で叩いて、大径端部13を開口部21ａの縁部に合致させることにより緊嵌させる。この際、本体部１の外周面とパイプ２の内周面との間には、適宜、接着剤を塗布することができ、潤滑性を高めて貫入抵抗を軽減させるとともに、この接着剤が硬化することにより、両部材の密着強度をより向上させることができる。
【００２９】
また、本実施形態では、本体部１の突条11の断面形状として、例えば、三角形状にすることができ、パイプ２の内周面22との接触面積を小さくすることができるので、貫入抵抗を軽減して、組み立て勝手を良くすることができる。この際、三角形の頂点の角度は鋭角であることが好ましく、本実施形態では、約８３°に設計して作製する。なお、図示しないが、突条11の断面形状を半円形状にすることもでき、食い込み圧力による集中応力を分散させることができる。
【００３０】
また、本実施形態では、本体部１の小径端部12の外周縁部における突条11の各頂点を、樹脂製パイプ２の内周面22に当接するようなサイズに作製することができ、嵌着時において、本体部１の外周面を全体的にパイプ２の内周面に内接させることができ、効果的に補強することができる。
【００３１】
このようにして、突条11を当該パイプ２の内周面22に緊嵌させることによって、当該補強部材と樹脂製パイプ２との二重構造を構成することができる（図３参照）。
【００３２】
なお、この際、本体部１の突起11をパイプ２に嵌入したときに、パイプ２の内周面22において圧潰されることによって緊嵌されるものであっても良いし、図４に示すように、内周面22に食い込むことによって緊嵌されるものであっても良い。
【００３３】
然る後、このように二重構造にして補強した端部を支持脚ＡのクランプＣで挟持することにより、バリケードを構成することができる（図５参照）。
【００３４】
『第２実施形態』
次に、本発明の第２実施形態を図６から図８に基づいて説明する。本実施形態では、筒状の本体部１の内周面をテーパ形状に成形する一方、内周面の表面（現出面）には軸方向に亙る突条11を形成する（図６参照）。
【００３５】
本実施形態では、図７に示すように、前記本体部１の大径開口端部15を前記樹脂製パイプ２の端部21における外周面23に挿入する。そして、本体部１をパイプ２の端部に冠着させることによって、突条11を当該パイプ２の外周面23に緊嵌せしめて二重構造を構成することができる。
【００３６】
なお、本体部１の大径開口端部15の内周縁部における突条11の各頂点を、樹脂製パイプ２の外周面23に当接するようなサイズに作製することができ、嵌着時において、本体部１の内周面を全体的にパイプ２の外周面に外接させることができ、効果的に補強することができる（図８参照）。
【００３７】
『第３実施形態』
本発明の第３実施形態を図９に基づいて説明する。本実施形態では、筒状の本体部１の外周面（または内周面）の表面に軸方向に亙り高さの逓増する突条11を形成する。
【００３８】
そして、前記本体部１の突条11の低い方の端部を前記樹脂製パイプ２の端部21における開口部21ａ（または外周面23）に挿入して突条11を当該パイプ２の内周面22（または外周面23）に緊嵌させることにより二重構造を構成可能にした。なお、図示しないが、同様な突条11を本体部１の内周面に形成することができる。
【００３９】
このように本体部１の突条11の頂点の高さを逓減させる構成にしたことにより、本体部１の形状を、テーパ形状でなく、円筒断面を有する直管状に成形することができる。
【００４０】
『第４実施形態』
本発明の第４実施形態を図１０および図１１に基づいて説明する。本実施形態では、筒状の本体部１の外周表面に螺旋状の突条11を形成する。
【００４１】
そして、前記本体部１の端部を前記樹脂製パイプ２の端部21における開口部21ａに挿入して前記螺旋状の突条11を当該パイプ２の内周面22に緊嵌させることにより二重構造を構成可能にした。
【００４２】
本実施形態では、突条11が螺旋状に形成されているので、本体部１を回転させながらパイプ２の端部21に螺入していくことによって簡単に挿入することができるとともに、パイプ内部における摩擦力が大きいので抜け難い。
【００４３】
この際、本体部１の挿入する端部にテーパを形成することにより初期挿入作業を円滑にできる。また、本体部１の内部に竹節状のリブ16を形成することもでき、強度をより向上させることができる。
【００４４】
『第５実施形態』
本発明の第５実施形態を図１２から図１４に基づいて説明する。本実施形態では、本体部１の胴部18を十字断面形状に成形する一方、この本体部１の所定間隔に複数の円板リブ19を配設して、かつ、前記胴部18の突端部18ａを円板リブ19の周縁の外郭外側に突出させる。
【００４５】
そして、前記本体部１の胴部18を前記樹脂製パイプ２の端部21における開口部21ａに挿入して突端部18ａを圧入する。この際、突端部18ａは、円板リブ19に干渉することなく圧縮されて弾性変形する。
【００４６】
このように構成したことによって、当該パイプ２の内周面22に緊嵌させることにより二重構造を構成可能にした。なお、本実施形態においても、本体部１の胴部18の挿入する端部にテーパを形成することにより初期挿入作業を円滑にできる。
【００４７】
本発明は概ね上記のように構成されるが、図示の実施形態に限定されるものでは決してなく、「特許請求の範囲」の記載内において種々の変更が可能であって、例えば、図１５に示すように、本体部１の内部に十字型などのリブ16を形成することができ、強度をより向上させることができる。また、このリブ16を竹節状に形成することもできる。
【００４８】
また、図１６および図１７に示すように、本体部１の端部に被覆蓋板17を設けることもでき（例えば、一体成形や接着）、本体部１の端部における剛性を付与して強度をより向上させることができ、バリケードパイプの内部への土砂や雨水などの侵入を防止することができる。
【００４９】
この際、この被覆蓋板17を径外にフランジ状に突出させることもでき、バリケードパイプの端部における隙間を確実に塞いで、土砂や雨水などの侵入をより効果的に防止することができる。なお、本変形例においても、本体部１が樹脂製パイプ２の端部21に対して内嵌するものであっても良いし、外嵌するものであっても良い。
【００５０】
更にまた、本体部１と樹脂製パイプ２との両部材を貫通する孔部を設け、ボルトやリベットなどを挿通して止着することもできる。
【００５１】
更にまた、本体部１に形成する突条11の数は４つに限らず、必要に応じて適宜増減することもできるし、突条11の断面形状も三角形状や半円形状に限らず、適宜設計変更することができ、これら何れのものも本発明の技術的範囲に属する。
【図面の簡単な説明】
【００５２】
【図１】本発明の第１実施形態の補強部材を表わす全体斜視図である。
【図２】本発明の第１実施形態の補強部材の使用状態を表わす説明断面図である。
【図３】本発明の第１実施形態の補強部材の使用状態を表わす説明断面図である。
【図４】本発明の第１実施形態の補強部材の使用状態を表わす説明断面図である。
【図５】本発明の第１実施形態の補強部材を使用したバリケードを表わす全体斜視図である。
【図６】本発明の第２実施形態の補強部材を表わす全体斜視図である。
【図７】本発明の第２実施形態の補強部材の使用状態を表わす説明断面図である。
【図８】本発明の第２実施形態の補強部材の使用状態を表わす説明断面図である。
【図９】本発明の第３実施形態の補強部材を表わす全体斜視図である。
【図１０】本発明の第４実施形態の補強部材を表わす全体側面図である。
【図１１】本発明の第４実施形態の補強部材を表わす全体断面図である。
【図１２】本発明の第５実施形態の補強部材を表わす全体斜視図である。
【図１３】本発明の第５実施形態の補強部材を表わす全体斜視図である。
【図１４】本発明の第５実施形態の補強部材を表わす全体断面図である。
【図１５】本発明の実施形態の補強部材の変形例を表わす全体斜視図である。
【図１６】本発明の実施形態の補強部材の変形例を表わす全体斜視図である。
【図１７】本発明の実施形態の補強部材の変形例を表わす全体斜視図である。
【符号の説明】
【００５３】
１    本体部
11    突条
12    小径端部
13    大径端部
14    小径開口端部
15    大径開口端部
16    リブ
17    被覆蓋板
18    胴部
18ａ  突端部
19    円板リブ
２    樹脂製パイプ
21    端部
21ａ  開口部
22    内周面
23    外周面
Ａ    バリケード支持脚
Ｃ    クランプ
【図１】
2010019411.tif 000003
【図２】
2010019411.tif 000004
【図３】
2010019411.tif 000005
【図４】
2010019411.tif 000006
【図５】
2010019411.tif 000007
【図６】
2010019411.tif 000008
【図７】
2010019411.tif 000009
【図８】
2010019411.tif 000010
【図９】
2010019411.tif 000011
【図１０】
2010019411.tif 000012
【図１１】
2010019411.tif 000013
【図１２】
2010019411.tif 000014
【図１３】
2010019411.tif 000015
【図１４】
2010019411.tif 000016
【図１５】
2010019411.tif 000017
【図１６】
2010019411.tif 000018
【図１７】
2010019411.tif 000019